(57)【要約】【課題】    広告リンクの１クリックを広告交換リンクの所定回数分のクリックに交換すること又は広告リンクの表示回数を広告交換リンクの所定回数分のクリックに交換することを可能にする通信ネットワーク上の広告システム及び広告方法を提供する。【解決手段】ＷＥＢページ上又は／及び電子メール上に設定された広告リンクの管理及び運営を行う広告サーバを備えた通信ネットワーク上の広告システムにおいて、広告サーバ２０は、ＷＥＢページ６１に設定された広告リンク１のクリック情報に基づいてＷＥＢページ７１に広告交換リンク２を設定し又は／及び電子メールに広告交換リンクを設定し、かつ、予め設定された広告交換リンク２のクリック可能回数に基づいて広告交換リンク２のクリック回数を制御する。【選択図】  図２
2005242551.tif 000002
【特許請求の範囲】
【請求項１】
ＷＥＢページ上又は／及び電子メール上に設定された広告リンクの管理及び運営を行う広告サーバを備えた通信ネットワーク上の広告システムにおいて、前記広告サーバは、広告リンクのクリック情報に基づいてＷＥＢページに広告交換リンクを設定し又は／及び電子メールに広告交換リンクを設定し、かつ、予め設定された広告交換リンクのクリック可能回数に基づいて広告交換リンクのクリック回数を制御することにより、前記広告リンクと前記広告交換リンクとを関連付けて利用者の広告閲覧を誘引するリンク交換に特徴を有する通信ネットワーク上の広告システム。
【請求項２】
請求項１に記載のリンク交換に特徴を有する通信ネットワーク上の広告システムは、広告掲載者サイトのＷＥＢページ上又は／及び広告掲載者が配信する電子メール上に設定されている広告掲載者ＩＤと広告主ＩＤが付加された広告リンクと、交換リンク掲載者サイトのＷＥＢページ上又は／及び交換リンク掲載者が配信する電子メール上に設定されている広告掲載者ＩＤが付加された広告交換リンクとの管理及び運営を行う広告サーバを備え、前記広告サーバは、クリック情報に基づいてリンク交換を制御するリンク交換制御手段と、広告掲載者ＩＤ別の広告交換リンクのクリック可能回数と広告掲載者ＩＤ別の広告交換リンクのクリック実績回数と広告主ＩＤに関連付けられたリンク先ＵＲＬと広告掲載者ＩＤに関連付けられたリンク先ＵＲＬを記憶する記憶手段とを備え、前記リンク交換制御手段は、リンク処理部とクリック回数判定部と交換リンク配信処理部とからなり、前記リンク処理部は、ＷＥＢページ上又は／及び電子メール上の広告掲載者ＩＤと広告主ＩＤが付加された広告リンクがクリックされたときにクリック情報を受信し、このクリック情報に基づいて広告交換リンクのクリック可能情報を加算し、広告主ＩＤで関連付けられたリンク先ＵＲＬが示すＷＥＢページへリダイレクトするとともに、前記リンク処理部は、前記リンク交換制御手段により生成された広告交換リンクがクリックされたときにクリック情報を受信し、このクリック情報に基づいて広告交換リンクのクリック実績情報を加算し、広告掲載者ＩＤで関連付けられたリンク先ＵＲＬが示すＷＥＢページへリダイレクトし、前記クリック回数判定部は、広告交換リンクのクリック可能回数とクリック実績回数を計数して広告掲載者ＩＤ別にクリック許可を判定し、前記交換リンク配信処理部は、閲覧者端末からの交換リンク掲載者サイトのＷＥＢページ表示要求を受信した際、前記クリック回数判定部がクリック許可した広告掲載者ＩＤに基づいて広告交換リンクを生成し、前記閲覧者端末に表示されるＷＥＢページに前記広告交換リンクを設定し、閲覧者端末に電子メールを配信する際、前記クリック回数判定部がクリック許可した広告掲載者ＩＤに基づいて広告交換リンクを生成し、前記閲覧者端末に配信される電子メールに前記広告交換リンクを設定するリンク交換に特徴を有する通信ネットワーク上の広告システム。
【請求項３】
請求項２に記載の前記リンク処理部は、ＷＥＢページ上又は／及び電子メール上の広告掲載者ＩＤと広告主ＩＤが付加された広告リンクを配信するときに、この配信情報に基づいて広告交換リンクのクリック可能情報を加算し、前記広告リンクがクリックされたときに受信したクリック情報に基づいて広告主ＩＤで関連付けられたリンク先ＵＲＬが示すＷＥＢページへリダイレクトするとともに、前記リンク処理部は、前記リンク交換制御手段により生成された広告交換リンクがクリックされたときにクリック情報を受信し、このクリック情報に基づいて広告交換リンクのクリック実績情報を加算し、広告掲載者ＩＤで関連付けられたリンク先ＵＲＬが示すＷＥＢページへリダイレクトするリンク交換に特徴を有する通信ネットワーク上の広告システム。
【請求項４】
請求項１に記載の前記広告サーバは、クリック情報に基づいてリンク交換を制御するリンク交換制御手段と、広告主ＩＤと広告主ＩＤ別クリック情報と広告主指定のリンク先ＵＲＬを記憶する記憶手段とを備え、前記リンク交換制御手段は、クリック情報検索処理部とクリック回数設定部とクリック回数判定部とリンク交換部とからなり、前記広告サーバが通信ネットワークに接続された閲覧者端末からのＷＥＢページ表示要求を受付ける際、ＷＥＢページ上の広告主ＩＤが付加された広告リンクがクリックされたときに第１クリック情報を受信し、ＷＥＢページの表示要求されたときに第２クリック情報を受信し、前記リンク交換制御手段により生成された広告交換リンクがクリックされたときに第３クリック情報を受信し、前記クリック情報検索処理部は、広告主ＩＤの検索・格納と広告主ＩＤ別クリック情報の書き込みを行い、前記クリック回数設定部は、広告交換リンクのクリック可能回数を予め設定しておき、前記クリック回数判定部は、広告交換リンクのクリック可能回数と広告交換リンクのクリック実績回数とから広告交換リンクのクリック許可回数を計数して広告主ＩＤ別にクリック許可を判定し、前記リンク交換部は、前記第２クリック情報を受信したとき、広告主ＩＤ別にクリック許可判定を参照して広告交換リンクを生成し、広告交換リンクに広告主ＩＤを付加することにより、前記閲覧者端末からの表示要求に応答する際、前記各クリック情報に基づいて、広告ＷＥＢベージ、リンク交換制御手段により生成された広告交換リンクが設定されたＷＥＢページ、広告交換リンクにかかる広告ＷＥＢベージをそれぞれ前記閲覧者端末に表示するリンク交換に特徴を有する通信ネットワーク上の広告システム。
【請求項５】
前記広告交換リンクのクリック可能回数は、前記広告リンクのクリック回数又は表示回数に対して１対１以上に設定する請求項１乃至請求項４に記載のリンク交換に特徴を有する通信ネットワーク上の広告システム。
【請求項６】
前記広告交換リンクのクリック可能回数は、前記広告リンクの内容又は種類に応じてクリック交換倍率を設定する請求項１乃至請求項５に記載のリンク交換に特徴を有する通信ネットワーク上の広告システム。
【請求項７】
前記広告交換リンクは、インセンティブを付与するＷＥＢページに設定することにより前記広告リンクをインセンティブ付きリンクに交換するように設定する請求項１乃至請求項６に記載のリンク交換に特徴を有する通信ネットワーク上の広告システム。
【請求項８】
ＷＥＢページ上又は／及び電子メール上に設定された広告リンクの管理及び運営を行う通信ネットワーク上の広告方法において、クリック情報に基づいて広告交換リンクのクリック可能回数を制御して広告交換リンクのクリック許可判定を行うステップを有するリンク交換に特徴を有する通信ネットワーク上の広告方法。
【請求項９】
請求項８に記載の前記クリック情報は、ＷＥＢページ上又は／及び電子メール上の広告掲載者ＩＤと広告主ＩＤが付加された広告リンクがクリックされたときに得られるクリック情報と、リンク交換制御手段により生成された広告交換リンクがクリックされたときに得られるクリック情報とからなり、これらのクリック情報に基づいて広告交換リンクのクリック可能回数を制御して広告交換リンクのクリック許可判定を行うステップにおいて、広告交換リンクのクリック可能回数とクリック実績回数を計数して広告掲載者ＩＤ別にクリック許可を判定し、閲覧者端末からの交換リンク掲載者サイトのＷＥＢページ表示要求を受信した際、クリック許可した広告掲載者ＩＤに基づいて広告交換リンクを生成して前記閲覧者端末に表示されるＷＥＢページに前記広告交換リンクを設定し、閲覧者端末に電子メールを配信する際、クリック許可した広告掲載者ＩＤに基づいて広告交換リンクを生成して前記閲覧者端末に配信される電子メールに前記広告交換リンクを設定するリンク交換に特徴を有する通信ネットワーク上の広告方法。
【請求項１０】
請求項９に記載の前記広告交換リンクのクリック可能回数は、ＷＥＢページ上又は／及び電子メール上の広告掲載者ＩＤと広告主ＩＤが付加された広告リンクのクリック回数に基づいて広告交換リンクのクリック可能情報を加算するリンク交換に特徴を有する通信ネットワーク上の広告方法。
【請求項１１】
請求項９に記載の前記広告交換リンクのクリック可能回数は、ＷＥＢページ上又は／及び電子メール上の広告掲載者ＩＤと広告主ＩＤが付加された広告リンクの表示回数に基づいて広告交換リンクのクリック可能情報を加算するリンク交換に特徴を有する通信ネットワーク上の広告方法。
【請求項１２】
請求項８に記載の前記クリック情報は、ＷＥＢページ上の広告主ＩＤが付加された広告リンクがクリックされたときに得られる第１クリック情報と、ＷＥＢページの表示要求されたときに得られる第２クリック情報と、広告交換リンクがクリックされたときに得られる第３クリック情報とからなり、クリック情報に基づいて広告交換リンクのクリック可能回数を制御して広告交換リンクのクリック許可判定を行うステップにおいて、広告交換リンクのクリック可能回数と広告交換リンクのクリック実績回数とから広告交換リンクのクリック許可回数を計数して広告主ＩＤ別にクリック許可を判定し、閲覧者端末からの交換リンク掲載者のサイトのＷＥＢページ表示要求を受信した際、クリック許可した広告主ＩＤに基づいて広告交換リンクを生成して広告交換リンクが設定されたＷＥＢページを閲覧者端末に表示するリンク交換に特徴を有する通信ネットワーク上の広告方法。
【請求項１３】
前記広告交換リンクのクリック可能回数は、前記広告リンクのクリック回数又は表示回数に対して１対１以上に設定する請求項８乃至請求項１２に記載のリンク交換に特徴を有する通信ネットワーク上の広告方法。
【請求項１４】
前記広告交換リンクのクリック可能回数は、前記広告リンクの内容又は種類に応じてクリック交換倍率を設定する請求項８乃至請求項１３に記載のリンク交換に特徴を有する通信ネットワーク上の広告方法。
【請求項１５】
前記広告交換リンクは、インセンティブを付与するＷＥＢページに設定することにより前記広告リンクをインセンティブ付きリンクに交換するように設定する請求項８乃至請求項１４に記載のリンク交換に特徴を有する通信ネットワーク上の広告方法。
【発明の詳細な説明】
【技術分野】
【０００１】
本発明は、広告リンクのクリック情報に基づいてＷＥＢページに広告交換リンクを設定し、かつ、広告交換リンクのクリック許可回数を制御するリンク交換に特徴を有する通信ネットワーク上の広告システム及び広告方法に関する。
【背景技術】
【０００２】
近年のインターネットに代表される通信ネットワークの普及に伴い、インターネット等の通信ネットワークを介した宣伝広告が活発になってきており、ＷＥＢページが重要な広告媒体になっている。このＷＥＢページによる宣伝広告の一つとして、広告掲載者サイトのＷＥＢページ上に広告主ＷＥＢページのＵＲＬのリンク（以下、広告リンクという）を設定し、広告掲載者サイトのＷＥＢページの閲覧者がこの広告リンクをクリックすると、自動的にリンクされている広告主ＷＥＢページを閲覧者端末に表示する広告方法が一般的に普及している。このような広告は、利用者が所望するＷＥＢページを表示した際に、その画面上に利用者の好みとは関係なく表示されるものであるが、所望のＷＥＢページから広告ＷＥＢページに利用者を誘引する役割を果たしている。
【０００３】
また、現在ではこのような広告リンクによる広告方法が一般的に普及しているため、広告リンクに対する新鮮味が薄れて利用者の広告リンクをクリックする頻度が減少するようになり、広告掲載者サイトのＷＥＢページに広告リンクを設定するだけでは広告効果があまり期待できなくなってきている。そこで、広告リンクの表示（露出）をできるだけ増やして利用者の広告閲覧を誘引するため、広告リンクと広告交換リンクを関連付けるリンク交換技術が存在する。これには、広告掲載者サイトのＷＥＢページ上に設定されている広告掲載者ＩＤと広告主ＩＤが付加された広告リンクと、交換リンク掲載者サイトのＷＥＢページ上に設定されている広告掲載者ＩＤが付加された広告交換リンクとの管理及び運営を行う広告サーバによって、広告掲載者サイトのＷＥＢページ上の広告リンクの表示（露出）に基づいて交換リンク掲載者サイトの広告交換リンクが設定されたＷＥＢページを表示（露出）するリンク交換技術が一般的に知られている。
【０００４】
一方、通信ネットワーク上の広告システム及び広告方法に関する先行技術は多数存在するが、その中でクリック情報に基づいて利用者の広告閲覧を誘引する関連技術としては、「ネット広告システム」（特開平２００２−１８９９１９号公報、特許文献１）、「広告システム、広告サーバ及びその制御方法」（特開平２００３−２８０５６４号公報、特許文献２）が存在する。
【０００５】
上記「ネット広告システム」に係る発明は、１回のクリックによって数多くのバナーサーバの商品広告をクライアントが閲覧可能にし、ワンクリック単価の低い広告システムを提供するものである。
【０００６】
また、上記「広告システム、広告サーバ及びその制御方法」に係る発明は、前コンテンツの表示後、後コンテンツの表示前に広告コンテンツを表示させることにより、広告コンテンツがユーザの目に留まりやすいようにできる広告システム等を提供するものである。
【０００７】
【特許文献１】特開２００２−１８９９１９号公報
【特許文献２】特開２００３−２８０５６４号公報
【発明の開示】
【発明が解決しようとする課題】
【０００８】
広告掲載者サイトのＷＥＢページ上に設定されてい広告リンクと、交換リンク掲載者サイトのＷＥＢページ上に設定されている広告交換リンクとを関連付けて利用者の広告閲覧を誘引することを目的とする従来のリンク交換技術は、ＷＥＢページ上の広告リンクの表示（露出）に対応させて広告交換リンクが設定されたＷＥＢページを表示（露出）する技術であることから、広告リンクの表示（露出）の回数と広告交換リンク表示（露出）の回数は通常１対１以下に設定される。すなわち、ＷＥＢページで広告リンクを表示（露出）した回数を超えて広告交換リンクが設定されたＷＥＢページを表示（露出）するようにはしていない。
【０００９】
このため、従来のリンク交換技術では、広告リンクの表示（露出）の回数と広告交換リンク表示（露出）の回数によって関連付けられているため、広告掲載者サイトのＷＥＢページに利用者の広告閲覧を誘引するのに限界がある。
【００１０】
また、上記の広告リンクの表示（露出）に基づくリンク交換技術は、広告画像の表示回数の交換を基本としているため、広告リンクの掲載媒体としては電子メールを採用することができない。
【００１１】
そこで、本発明は、このような問題を解決するためになされたものであり、広告リンクのクリック情報に基づいてＷＥＢページに広告交換リンクを設定し又は／及び電子メールに広告交換リンクを設定し、かつ、広告交換リンクのクリック許可回数を制御することにより広告リンクと広告交換リンクとを関連付けて広告掲載者又は広告主が利用者の閲覧を欲するＷＥＢページに利用者の広告閲覧を誘引することを目的とする。具体的には、従来のリンク交換技術にはなかった仕組みにより広告リンクと広告交換リンクとを関連付けることに着目し、広告リンクの１クリックを広告交換リンクの所定回数分のクリックに交換すること又は広告リンクの表示回数を広告交換リンクの所定回数分のクリックに交換することを可能にする通信ネットワーク上の広告システム及び広告方法を提供する。
【課題を解決するための手段】
【００１２】
上記課題を解決するために、請求項１に記載の発明は、ＷＥＢページ上又は／及び電子メール上に設定された広告リンクの管理及び運営を行う広告サーバを備えた通信ネットワーク上の広告システムにおいて、前記広告サーバは、広告リンクのクリック情報に基づいてＷＥＢページに広告交換リンクを設定し又は／及び電子メールに広告交換リンクを設定し、かつ、予め設定された広告交換リンクのクリック可能回数に基づいて広告交換リンクのクリック回数を制御することにより、前記広告リンクと前記広告交換リンクとを関連付けて利用者の広告閲覧を誘引する構成を採用したのである。ここで、通信ネットワ−クには、（１）インターネット、（２）携帯電話、ＰＨＳのネットワーク、（３）前記（１）（２）にまたがったネットワーク、が含まれる。
【００１３】
請求項２に記載の発明は、請求項１に記載の発明において、リンク交換に特徴を有する通信ネットワーク上の広告システムは、広告掲載者サイトのＷＥＢページ上又は／及び広告掲載者が配信する電子メール上に設定されている広告掲載者ＩＤと広告主ＩＤが付加された広告リンクと、交換リンク掲載者サイトのＷＥＢページ上又は／及び交換リンク掲載者が配信する電子メール上に設定されている広告掲載者ＩＤが付加された広告交換リンクとの管理及び運営を行う広告サーバを備え、前記広告サーバは、クリック情報に基づいてリンク交換を制御するリンク交換制御手段と、広告掲載者ＩＤ別の広告交換リンクのクリック可能回数と広告掲載者ＩＤ別の広告交換リンクのクリック実績回数と広告主ＩＤに関連付けられたリンク先ＵＲＬと広告掲載者ＩＤに関連付けられたリンク先ＵＲＬを記憶する記憶手段とを備え、前記リンク交換制御手段は、リンク処理部とクリック回数判定部と交換リンク配信処理部とからなり、前記リンク処理部は、ＷＥＢページ上又は／及び電子メール上の広告掲載者ＩＤと広告主ＩＤが付加された広告リンクがクリックされたときにクリック情報を受信し、このクリック情報に基づいて広告交換リンクのクリック可能情報を加算し、広告主ＩＤで関連付けられたリンク先ＵＲＬが示すＷＥＢページへリダイレクトするとともに、前記リンク処理部は、前記リンク交換制御手段により生成された広告交換リンクがクリックされたときにクリック情報を受信し、このクリック情報に基づいて広告交換リンクのクリック実績情報を加算し、広告掲載者ＩＤで関連付けられたリンク先ＵＲＬが示すＷＥＢページへリダイレクトし、前記クリック回数判定部は、広告交換リンクのクリック可能回数とクリック実績回数を計数して広告掲載者ＩＤ別にクリック許可を判定し、前記交換リンク配信処理部は、閲覧者端末からの交換リンク掲載者サイトのＷＥＢページ表示要求を受信した際、前記クリック回数判定部がクリック許可した広告掲載者ＩＤに基づいて広告交換リンクを生成し、前記閲覧者端末に表示されるＷＥＢページに前記広告交換リンクを設定し、閲覧者端末に電子メールを配信する際、前記クリック回数判定部がクリック許可した広告掲載者ＩＤに基づいて広告交換リンクを生成し、前記閲覧者端末に配信される電子メールに前記広告交換リンクを設定する構成を採用することができる。
【００１４】
請求項３に記載の発明は、請求項２に記載の発明において、前記リンク処理部は、ＷＥＢページ上又は／及び電子メール上の広告掲載者ＩＤと広告主ＩＤが付加された広告リンクを配信するときに、この配信情報に基づいて広告交換リンクのクリック可能情報を加算し、前記広告リンクがクリックされたときに受信したクリック情報に基づいて広告主ＩＤで関連付けられたリンク先ＵＲＬが示すＷＥＢページへリダイレクトするとともに、前記リンク処理部は、前記リンク交換制御手段により生成された広告交換リンクがクリックされたときにクリック情報を受信し、このクリック情報に基づいて広告交換リンクのクリック実績情報を加算し、広告掲載者ＩＤで関連付けられたリンク先ＵＲＬが示すＷＥＢページへリダイレクトする構成を採用してもよい。
【００１５】
請求項４に記載の発明は、請求項１に記載の発明において、前記広告サーバは、クリック情報に基づいてリンク交換を制御するリンク交換制御手段と、広告主ＩＤと広告主ＩＤ別クリック情報と広告主指定のリンク先ＵＲＬを記憶する記憶手段とを備え、前記リンク交換制御手段は、クリック情報検索処理部とクリック回数設定部とクリック回数判定部とリンク交換部とからなり、前記広告サーバが通信ネットワークに接続された閲覧者端末からのＷＥＢページ表示要求を受付ける際、ＷＥＢページ上の広告主ＩＤが付加された広告リンクがクリックされたときに第１クリック情報を受信し、ＷＥＢページの表示要求されたときに第２クリック情報を受信し、前記リンク交換制御手段により生成された広告交換リンクがクリックされたときに第３クリック情報を受信し、前記クリック情報検索処理部は、広告主ＩＤの検索・格納と広告主ＩＤ別クリック情報の書き込みを行い、前記クリック回数設定部は、広告交換リンクのクリック可能回数を予め設定しておき、前記クリック回数判定部は、予め設定された広告交換リンクのクリック可能回数と広告交換リンクのクリック実績回数とから広告交換リンクのクリック許可回数を計数して広告主ＩＤ別にクリック許可を判定し、前記リンク交換部は、前記第２クリック情報を受信したとき、広告主ＩＤ別にクリック許可判定を参照して広告交換リンクを生成し、広告交換リンクに広告主ＩＤを付加することにより、前記閲覧者端末からの表示要求に応答する際、前記各クリック情報に基づいて、広告ＷＥＢベージ、リンク交換制御手段により生成された広告交換リンクが設定されたＷＥＢページ、広告交換リンクにかかる広告ＷＥＢベージをそれぞれ前記閲覧者端末に表示する構成を採用することができる。
【００１６】
請求項５に記載の発明は、請求項１乃至請求項４に記載の発明において、前記広告交換リンクのクリック可能回数は、前記広告リンクのクリック回数又は表示回数に対して１対１以上に設定する。
【００１７】
これにより、広告リンクの１クリックを広告交換リンクの１クリック以上に交換することができる。また、広告リンクの１回の表示を広告交換リンクの１クリック以上に交換することができる。
【００１８】
請求項６に記載の発明は、請求項１乃至請求項５に記載の発明において、前記広告交換リンクのクリック可能回数は、前記広告リンクの内容又は種類に応じてクリック交換倍率を設定する。ここで、広告リンクの内容又は種類には、コンテンツの内容、表示の形式（テキスト、静止画像、動画像）、表示の大きさ、掲載位置などが含まれる。
【００１９】
これにより、広告リンクの内容又は種類の違いに対応させてそれぞれ軽重をつけ、広告交換リンクのクリック可能回数を設定することができる。
【００２０】
請求項７に記載の発明は、請求項１乃至請求項６に記載の発明において、前記広告交換リンクは、インセンティブを付与するＷＥＢページに設定することにより前記広告リンクをインセンティブ付きリンクに交換するように設定する。ここで、インセンティブ付きリンクとは、例えば「ＷＥＢページ広告装置」（特開平２００２−７８７７号公報）において開示されているように「バナー広告等の広告を掲載したくじ引きのＷＥＢページを作成し、前記広告を閲覧することによりくじ引きを引く権利を与える」ものなど、利用者が広告を閲覧することにより何らかの特典を与えるリンクであることを意味している。
【００２１】
これにより、広告交換リンクをインセンティブ付きリンクとすることにより、広告交換リンクのクリックを集めることが容易になる。また、広告掲載者又は広告主が利用者の閲覧を欲するＷＥＢページに利用者の広告閲覧を誘引することが容易になる。
【００２２】
請求項８に記載の発明は、ＷＥＢページ上又は／及び電子メール上に設定された広告リンクの管理及び運営を行う通信ネットワーク上の広告方法において、クリック情報に基づいて広告交換リンクのクリック可能回数を制御して広告交換リンクのクリック許可判定を行うステップを有することを特徴とする。
【００２３】
請求項９に記載の発明は、請求項８に記載の発明において、前記クリック情報は、ＷＥＢページ上又は／及び電子メール上の広告掲載者ＩＤと広告主ＩＤが付加された広告リンクがクリックされたときに得られるクリック情報と、リンク交換制御手段により生成された広告交換リンクがクリックされたときに得られるクリック情報とからなり、これらのクリック情報に基づいて広告交換リンクのクリック可能回数を制御して広告交換リンクのクリック許可判定を行うステップにおいて、広告交換リンクのクリック可能回数とクリック実績回数を計数して広告掲載者ＩＤ別にクリック許可を判定し、閲覧者端末からの交換リンク掲載者サイトのＷＥＢページ表示要求を受信した際、クリック許可した広告掲載者ＩＤに基づいて広告交換リンクを生成して前記閲覧者端末に表示されるＷＥＢページに前記広告交換リンクを設定し、閲覧者端末に電子メールを配信する際、クリック許可した広告掲載者ＩＤに基づいて広告交換リンクを生成して前記閲覧者端末に配信される電子メールに前記広告交換リンクを設定することを特徴とする。
【００２４】
請求項１０に記載の発明は、請求項９に記載の発明において、前記広告交換リンクのクリック可能回数は、ＷＥＢページ上又は／及び電子メール上の広告掲載者ＩＤと広告主ＩＤが付加された広告リンクのクリック回数に基づいて広告交換リンクのクリック可能情報を加算することを特徴とする。
【００２５】
請求項１１に記載の発明は、請求項９に記載の発明において、前記広告交換リンクのクリック可能回数は、ＷＥＢページ上又は／及び電子メール上の広告掲載者ＩＤと広告主ＩＤが付加された広告リンクの表示回数に基づいて広告交換リンクのクリック可能情報を加算することを特徴とする。
【００２６】
請求項１２に記載の発明は、請求項８に記載の発明において、前記クリック情報は、ＷＥＢページ上の広告主ＩＤが付加された広告リンクがクリックされたときに得られる第１クリック情報と、ＷＥＢページの表示要求されたときに得られる第２クリック情報と、広告交換リンクがクリックされたときに得られる第３クリック情報とからなり、クリック情報に基づいて広告交換リンクのクリック可能回数を制御して広告交換リンクのクリック許可判定を行うステップにおいて、広告交換リンクのクリック可能回数と広告交換リンクのクリック実績回数とから広告交換リンクのクリック許可回数を計数して広告主ＩＤ別にクリック許可を判定し、閲覧者端末からの交換リンク掲載者のサイトのＷＥＢページ表示要求を受信した際、クリック許可した広告主ＩＤに基づいて広告交換リンクを生成して広告交換リンクが設定されたＷＥＢページを閲覧者端末に表示することを特徴とする。
【００２７】
請求項１３に記載の発明は、請求項８乃至請求項１２に記載の発明において、前記広告交換リンクのクリック可能回数は、前記広告リンクのクリック回数又は表示回数に対して１対１以上に設定することを特徴とする。
【００２８】
請求項１４に記載の発明は、請求項８乃至請求項１３に記載の発明において、前記広告交換リンクのクリック可能回数は、前記広告リンクの内容又は種類に応じてクリック交換倍率を設定することを特徴とする。
【００２９】
請求項１５に記載の発明は、請求項８乃至請求項１４に記載の発明において、前記広告交換リンクは、インセンティブを付与するＷＥＢページに設定することにより前記広告リンクをインセンティブ付きリンクに交換するように設定することを特徴とする。
【発明の効果】
【００３０】
以上のように、本発明に係る広告システム及び広告方法によれば、従来のリンク交換技術を採用した広告システム又は広告方法とは異なり、広告リンクのクリック情報に基づいてＷＥＢページに広告交換リンクを設定し又は／及び電子メールに広告交換リンクを設定し、かつ、広告交換リンクのクリック許可回数を制御することができる。すなわち、広告リンクの１クリックを広告交換リンクの所定回数分のクリックに交換すること又は広告リンクの表示回数を広告交換リンクの所定回数分のクリックに交換することが可能になるので、広告リンクと広告交換リンクとを関連付けて広告掲載者又は広告主が利用者の閲覧を欲するＷＥＢページに利用者の広告閲覧を誘引することができる。
【００３１】
また、本発明に係る広告システム及び広告方法によれば、リンク交換技術は、従来のように広告画像の表示回数のみによる交換を基本としていないため、広告リンクの掲載媒体として電子メールを採用することができる。
【００３２】
また、本発明に係る広告システム及び広告方法によれば、広告リンクの１クリック又は１回の表示を広告交換リンクの１クリック以上に交換することができるので、広告掲載者に対して広告掲載を誘引し、ひいては広告の効果を高めることが期待できる。更には広告リンクの内容又は種類の違いに対応させてそれぞれ軽重をつけて広告交換リンクのクリック可能回数を設定することができるので、広告掲載に際してリンク交換における規範を明確にしシステム運営の実効を図ることができる。
【００３３】
また、本発明に係る広告システム及び広告方法によれば、広告リンクの１クリック又は１回の表示を広告交換リンクの１クリック以上に交換することにより、それに対応した広告交換リンクのクリックを集めることがシステム運営上必要になってくるが、広告交換リンクをインセンティブ付きリンクとすることにより、広告交換リンクのクリックを集めることが容易になる。また、広告交換リンクをインセンティブ付きリンクとすることにより、広告掲載者又は広告主が利用者の閲覧を欲するＷＥＢページに利用者の広告閲覧を誘引することが容易になる。
【発明を実施するための最良の形態】
【００３４】
以下、本発明の実施形態について、図面を参酌しながら説明する。
【００３５】
（第１実施例）
図１は、第１実施例の広告システムの概要を示す説明図である。図１に示すように、この広告システムは、インターネット１０などの通信ネットワークを介して接続されている広告サーバ２０、広告主サイト５０、広告掲載者サイト６０、交換リンク掲載者サイト７０、閲覧者端末８０により構成される。
【００３６】
広告サーバ２０は、ＣＰＵ、ハードディスク記憶装置などからなる公知のコンピュータシステムによって構成されており、ＷＷＷサーバとしての機能を有する。また、広告サーバ２０は、後述するようにＷＥＢページ上又は／及び電子メール上に設定された広告リンクの管理及び運営を行うリンク交換機能を有している。そのため、広告サーバ２０には、本発明の特徴部分であるリンク交換制御手段３０と記憶手段４０を備えており、広告サーバ２０にインストールされているＣＧＩプログラムにより、広告掲載者サイト６０のＷＥＢページ上に設定された広告リンクのクリック情報に基づいて交換リンク掲載者サイト７０のＷＥＢページに広告交換リンクを設定し、かつ、広告交換リンクのクリック許可回数を制御する一連の情報処理が実現される。
【００３７】
広告掲載者サイト６０のＷＥＢページ上又は／及び広告掲載者が配信する電子メール上に設定されている広告リンクには、広告掲載者ＩＤと広告主ＩＤが付加されている。また、交換リンク掲載者サイトのＷＥＢページ上又は／及び交換リンク掲載者が配信する電子メール上に設定されている広告交換リンクには、広告掲載者ＩＤが付加されている。
【００３８】
広告サーバ２０のリンク交換制御手段３０は、リンク処理部部３１と、クリック回数判定部３２と、交換リンク配信処理部３３とから構成されている。また、記憶手段４０は、広告掲載者ＩＤ別の広告交換リンクのクリック可能回数４１と、広告掲載者ＩＤ別の広告交換リンクのクリック実績回数４２と、広告主ＩＤに関連付けられたリンク先ＵＲＬ４３と、広告掲載者ＩＤに関連付けられたリンク先ＵＲＬ４４の各データが記憶されている。
【００３９】
図１及び図２に示すように、広告サーバ２０は、インターネット１０に接続された閲覧者端末８０から広告掲載者サイト６０のＷＥＢページ６１（以下、ＷＥＢページ１という）上の広告掲載者ＩＤと広告主ＩＤが付加された広告リンク（以下、広告リンク１という）がクリックされたときクリック情報を受信する。また、閲覧者端末８０から交換リンク掲載者サイト７０のＷＥＢページ７１（以下、ＷＥＢページ２という）の表示要求されたときにクリック情報を受信する。また、後述するリンク交換制御手段３０により生成された交換リンク掲載者サイト７０のＷＥＢページ２に設定されいる広告交換リンク（以下、広告交換リンク２という）がクリックされたときにクリック情報を受信する。
【００４０】
リンク処理部３１は、ＷＥＢページ１上の広告掲載者ＩＤと広告主ＩＤが付加された広告リンク１のクリック情報を受信したとき、このクリック情報に基づいて広告交換リンク２のクリック可能情報を加算し、広告主ＩＤで関連付けられたリンク先ＵＲＬが示す広告ＷＥＢページ５１（以下、広告ＷＥＢページ１という）へリダイレクトする。また、広告交換リンク２のクリック可能情報を加算する異なる処理手段としては、広告サーバ２０がＷＥＢページ１上の広告掲載者ＩＤと広告主ＩＤが付加された広告リンク１を配信するときに、この配信情報（広告リンク１の表示）に基づいて広告交換リンク２のクリック可能情報を加算してもよい。
【００４１】
リンク処理部３１は、リンク交換制御手段３０により生成された広告交換リンク２のクリック情報を受信したとき、このクリック情報に基づいて広告交換リンク２のクリック実績情報を加算し、広告掲載者ＩＤで関連付けられたリンク先ＵＲＬが示すＷＥＢページ１へリダイレクトする。
【００４２】
クリック回数判定部３２は、広告掲載者ＩＤ別に格納されている広告交換リンク２のクリック可能回数４１とクリック実績回数４２を計数して広告掲載者ＩＤ別にクリック許可を判定する。
【００４３】
交換リンク配信処理部３３は、閲覧者端末８０からの交換リンク掲載者サイト７０のＷＥＢページ２の表示要求を受信した際、上述のクリック回数判定部３２がクリック許可した広告掲載者ＩＤに基づいて広告交換リンク２を生成し、閲覧者端末８０に表示される交換リンク掲載者サイト７０のＷＥＢページ２に広告交換リンク２を設定する。また、交換リンク配信処理部３３は、閲覧者端末８０に電子メールを配信する際、上述のクリック回数判定部３２がクリック許可した広告掲載者ＩＤに基づいて広告交換リンク２を生成し、閲覧者端末８０に配信される電子メールに広告交換リンク２を設定する。
【００４４】
広告交換リンク２のクリック可能回数４１は、広告交換リンク２のクリック可能情報を加算するときに、広告リンク１のクリック回数に対して１対１以上に設定することができる。これにより、広告リンク１の１クリックを広告交換リンク２の１クリック以上に交換することができる。また、広告交換リンク２のクリック可能回数４１は、広告交換リンク２のクリック可能情報を加算するときに、広告リンク１の表示回数に対して１対１以上に設定することができる。これにより、広告リンク１の１回の表示を広告交換リンク２の１クリック以上に交換することができる。以上のように、広告リンク１の１クリック又は１回の表示が広告交換リンク２の１クリック以上に交換することにより、広告掲載者に対して広告掲載を誘引し、ひいては広告の効果を高めることが期待できる。
【００４５】
また、広告交換リンクのクリック可能回数４１は、広告交換リンク２のクリック可能情報を加算するときに、広告リンク１の内容又は種類に応じてクリック交換倍率を設定してもよい。ここで、広告リンク１の内容又は種類には、コンテンツの内容、表示の形式（テキスト、静止画像、動画像）、表示の大きさ、掲載位置などが含まれる。これにより、広告リンクの内容又は種類の違いに対応させてそれぞれ軽重をつけ、広告交換リンク２のクリック可能回数を設定することができる。例えば、広告リンク１のコンテンツの内容によってクリック交換倍率を設定する場合、クリックされた広告リンク１に付加されている広告主ＩＤ別に広告分類コード（分類１：通常、分類２：消費者金融、分類３：成人向け）を付与し、この広告分類コードに対応させてクリック交換倍率（分類１：１．５倍、分類２：２倍、分類３：３倍）を設定した広告分類テーブルを参照し広告交換リンク２のクリック可能回数を設定する。これにより、広告掲載に際してリンク交換における規範を明確にしシステム運営の実効を図ることができる。
【００４６】
広告交換リンクは、インセンティブを付与するＷＥＢページ２に設定することにより広告リンク１をインセンティブ付きリンクに交換するように設定してもよい。ここで、インセンティブ付きリンクとは、例えば「ＷＥＢページ広告装置」（特開平２００２−７８７７号公報）において開示されているように「バナー広告等の広告を掲載したくじ引きのＷＥＢページを作成し、前記広告を閲覧することによりくじ引きを引く権利を与える」ものなど、利用者が広告を閲覧することにより何らかの特典を与えるリンクであることを意味している。これにより、上述したように広告リンク１の１クリック又は１回の表示を広告交換リンク２の１クリック以上に交換することにより、それに対応した広告交換リンク２のクリックを集めることがシステム運営上必要になってくるが、広告交換リンク２をインセンティブ付きリンクとすることにより、広告交換リンク２のクリックを集めることが容易になる。また、広告交換リンク２をインセンティブ付きリンクとすることにより、広告掲載者が利用者の閲覧を欲するＷＥＢページ１に利用者の広告閲覧を誘引することが容易になる。
【００４７】
次に、第１実施例のクリック情報に基く処理手順について説明する。
【００４８】
図３は、第１実施例のＷＥＢページ上の広告リンクがクリックされたときのクリック情報に基づく処理手順を示すフロー図である。
【００４９】
利用者が閲覧者端末８０からアクセスして広告掲載者サイト６０のＷＥＢページ１を閲覧している状態において、ＷＥＢページ１上に設定されている広告掲載者ＩＤと広告主ＩＤが付加された広告リンク１をクリックしたとき（Ｓ１００）、広告サーバ２０はクリック情報を受信し（Ｓ１１０）、広告サーバ２０のリンク処理部部３１は広告リンク１に付加されている広告掲載者を識別する広告掲載者ＩＤを検索し（Ｓ１２０）、広告掲載者ＩＤ別の広告交換リンク２のクリック可能回数４１のデータにクリック可能情報を加算して格納し（Ｓ１３０）、広告主ＩＤで関連付けられたリンク先ＵＲＬが示す広告ＷＥＢページ１へリダイレクトして閲覧者端末８０に広告ＷＥＢページ１が表示される（Ｓ１４０）。ここで、広告交換リンク２のクリック可能回数４１について、広告交換リンク２のクリック可能情報を加算するときに、広告リンク１のクリック回数に対して１対１以上に設定することにより、広告リンク１の１クリックを広告交換リンク２の１クリック以上に交換することが可能になる。また、広告リンク１の表示回数に対して１対１以上に設定することにより、広告リンク１の１回の表示を広告交換リンク２の１クリック以上に交換することが可能になる。
【００５０】
図４は、第１実施例のＷＥＢページの表示要求がされたときのクリック情報に基づく処理手順を示すフロー図である。
【００５１】
利用者が閲覧者端末８０からアクセスして交換リンク掲載者サイト７０のＷＥＢページ２の表示要求がされたとき（Ｓ２００）、広告サーバ２０はクリック情報を受信し（Ｓ２１０）、広告サーバ２０のクリック回数判定部３３は広告掲載者ＩＤ別に格納されている広告交換リンク２のクリック可能回数４１とクリック実績回数４２を計数して広告掲載者ＩＤ別にクリック許可判定を行う（Ｓ２２０）。このとき、広告交換リンク２のクリック許可判定をクリアする場合は、リンク交換部３４は、広告交換リンク２を生成し（Ｓ２３０）、この広告交換リンク２に広告掲載者ＩＤを付加し（Ｓ２４０）、ＷＥＢページ２に広告交換リンク２を設定して閲覧者端末８０にそのＷＥＢページ２が表示される（Ｓ２５０）。一方、広告交換リンク２のクリック許可判定をクリアしない場合は、前記クリック情報に基づいて閲覧者端末８０にＷＥＢページが表示される（Ｓ２６０）。
【００５２】
図５は、第１実施例の広告交換リンクがクリックされたときのクリック情報に基づく処理手順を示すフロー図である。
【００５３】
利用者が閲覧者端末８０から広告交換リンク２が設定されたＷＥＢページ２を閲覧している状態において、その広交換告リンク２をクリックしたとき（Ｓ３００）、広告サーバ２０はクリック情報を受信し（Ｓ３１０）、広告サーバ２０のリンク処理部部３１は、広告交換リンク２に付加されている広告掲載者を識別する広告掲載者ＩＤを検索し（Ｓ３２０）、広告掲載者ＩＤ別の広告交換リンク２のクリック実績回数４２のデータにクリック実績情報を加算して格納し（Ｓ３３０）、広告掲載者ＩＤに関連付けられたリンク先ＵＲＬが示す広告交換リンク２にかかるＷＥＢページ１へリダイレクトして閲覧者端末８０にそのＷＥＢページ１が表示される（Ｓ３４０）。
【００５４】
（第２実施例）
図６は、第２実施例の広告システムの概要を示す説明図である。図６に示すように、この広告システムは、インターネット１０などの通信ネットワークを介して接続されている広告サーバ２０、広告主サイト５０、広告掲載者サイト６０、閲覧者端末８０により構成される。ここで、広告掲載者サイト６０とは、第１実施例で説明した交換リンク掲載者サイト７０を含む概念である。
【００５５】
広告サーバ２０は、ＣＰＵ、ハードディスク記憶装置などからなる公知のコンピュータシステムによって構成されており、ＷＷＷサーバとしての機能を有する。また、広告サーバ２０は、ＷＥＢページ上又は／及び電子メール上に設定された広告リンクの管理及び運営を行うリンク交換機能を有している。そのため、広告サーバ２０には、本発明の特徴部分であるリンク交換制御手段３０と記憶手段４０を備えており、広告サーバ２０にインストールされているＣＧＩプログラムにより、広告掲載者サイト６０のＷＥＢページ上に設定された広告リンクのクリック情報に基づいて広告交換リンクが設定された広告掲載者サイト６０のＷＥＢページを表示し、かつ、広告交換リンクのクリック許可回数を制御する一連の情報処理が実現される。
【００５６】
広告サーバ２０のリンク交換制御手段３０は、クリック情報検索処理部３４と、クリック回数設定部３５と、クリック回数判定部３６と、リンク交換部３７とから構成されている。また、記憶手段４０は、広告主ＩＤ４５と、広告主ＩＤ別クリック情報４６と、広告主指定のリンク先ＵＲＬ４７の各データが記憶されている。
【００５７】
図６及び図７に示すように、広告サーバ２０は、インターネット１０に接続された閲覧者端末８０から広告掲載者サイト６０のＷＥＢページ６１（以下、ＷＥＢページ１という）上の広告主ＩＤが付加された広告リンク（以下、広告リンク１という）がクリックされたときに第１クリック情報を受信する。また、閲覧者端末８０から広告掲載者サイト６０の別のＷＥＢページ６２（以下、ＷＥＢページ２という）の表示要求されたときに第２クリック情報を受信する。また、閲覧者端末８０からリンク交換制御手段３０により生成された広告交換リンク（以下、広告交換リンク２という）がクリックされたときに第３クリック情報を受信する。
【００５８】
クリック情報検索処理部３４は、各クリック情報に基づいて広告主ＩＤの検索・格納と広告主ＩＤ別クリック情報の書き込みを行う。
【００５９】
クリック回数設定部３５は、広告リンク１のクリック情報又は配信情報に基づく広告交換リンク２のクリック可能回数を予め設定する。
【００６０】
広告交換リンク２のクリック可能回数は、広告リンク１のクリック回数に対して１対１以上に設定することができる。これにより、広告リンク１の１クリックを広告交換リンク２の１クリック以上に交換することができる。また、広告交換リンク２のクリック可能回数は、広告リンク１の表示回数に対して１対１以上に設定することができる。これにより、広告リンク１の１回の表示を広告交換リンク２の１クリック以上に交換することができる。
【００６１】
広告交換リンクのクリック可能回数は、広告リンク１の内容又は種類に応じてクリック交換倍率を設定してもよい。ここで、広告リンク１の内容又は種類には、コンテンツの内容、表示の形式（テキスト、静止画像、動画像）、表示の大きさ、掲載位置などが含まれる。これにより、広告リンクの内容又は種類の違いに対応させてそれぞれ軽重をつけ、広告交換リンク２のクリック可能回数を設定することができる。例えば、広告リンク１のコンテンツの内容によってクリック交換倍率を設定する場合、クリックされた広告リンク１に付加されている広告主ＩＤ別に広告分類コード（分類１：通常、分類２：消費者金融、分類３：成人向け）を付与し、この広告分類コードに対応させてクリック交換倍率（分類１：１．５倍、分類２：２倍、分類３：３倍）を設定した広告分類テーブルを参照し広告交換リンク２のクリック可能回数を設定する。
【００６２】
クリック回数判定部３６は、予め設定された広告交換リンク２のクリック可能回数と広告交換リンクのクリック実績回数とから広告交換リンクのクリック許可回数を計数して広告主ＩＤ別にクリック許可を判定する。
【００６３】
リンク交換部３７は、第２クリック情報を受信したとき、広告主ＩＤ別にクリック許可判定を参照して広告交換リンク２を生成し、広告交換リンク２に広告主ＩＤを付加する。
【００６４】
広告サーバ２０は、閲覧者端末８０からＷＥＢページの表示要求に応答する際、図７に示すように、各クリック情報に基づいて、広告ＷＥＢベージ５１（以下、広告ＷＥＢページ１という）、リンク交換制御手段３０により生成された広告交換リンク２が設定されたＷＥＢページ２、広告交換リンク２にかかる広告ＷＥＢベージ５２（以下、広告ＷＥＢページ２という）をそれぞれ閲覧者端末８０に表示する。
【００６５】
また、広告交換リンクは、インセンティブを付与するＷＥＢページに設定することにより広告リンク１をインセンティブ付きリンクに交換するように設定してもよい。これにより、広告交換リンク２をインセンティブ付きリンクとすることにより、広告主が利用者の閲覧を欲する広告ＷＥＢページに利用者の広告閲覧を誘引することが容易になる。
【００６６】
次に、第２実施例のクリック情報に基く処理手順について説明する。
【００６７】
図８は、第２実施例のＷＥＢページ上の広告リンクがクリックされたときのクリック情報に基づく処理手順を示すフロー図である。
【００６８】
利用者が閲覧者端末８０からアクセスして広告掲載者サイト６０のＷＥＢページ１を閲覧している状態において、そのＷＥＢページ１上に設定された広告リンク１をクリックしたとき（Ｓ１０）、広告サーバ２０はクリック情報を受信し（Ｓ１１）、広告サーバ２０のクリック情報検索処理部３４は、広告リンク１に付加されている広告主を識別する広告主ＩＤを検索し（Ｓ１２）、広告主ＩＤ別クリック情報４６に広告リンク１のクリック情報を格納し（Ｓ１５）、広告ＷＥＢページ１を閲覧者端末８０に表示する（Ｓ１６）。ここで、広告交換リンク２のクリック可能回数について、広告リンク１のクリック情報を格納するとき、クリック回数設定部３５は広告リンク１のクリック回数に対して１対１以上に設定することにより、広告リンク１の１クリックを広告交換リンク２の１クリック以上に交換することが可能になる。また、広告リンク１の表示回数に対して１対１以上に設定することにより、広告リンク１の１回の表示を広告交換リンク２の１クリック以上に交換することが可能になる。
【００６９】
図９は、第２実施例のＷＥＢページの表示要求がされたときのクリック情報に基づく処理手順を示すフロー図である。
【００７０】
利用者が閲覧者端末８０からアクセスして広告掲載者サイト６０のＷＥＢページ２の表示要求がされたとき（Ｓ２０）、広告サーバ２０はクリック情報を受信し（Ｓ２１）、広告サーバ２０のクリック回数判定部３５は広告主ＩＤ別にクリック許可判定を行う（Ｓ２２）。このとき、広告交換リンクのクリック許可判定をクリアする場合は、リンク交換部３７は、広告交換リンク２を生成し（Ｓ２３）、この広告交換リンク２に広告主ＩＤを付加し（Ｓ２４）、広告交換リンク２が設定されたＷＥＢページ２を閲覧者端末８０に表示する。一方、広告交換リンク２のクリック許可判定をクリアしない場合は、前記クリック情報に基づいてＷＥＢページ６２を閲覧者端末８０に表示する。
【００７１】
図１０は、第２実施例の広告交換リンクがクリックされたときのクリック情報に基づく処理手順を示すフロー図である。
【００７２】
利用者が閲覧者端末８０から広告交換リンク２が設定されたＷＥＢページ２を閲覧している状態において、その広交換告リンク２をクリックしたとき（Ｓ３０）、広告サーバ２０はクリック情報を受信し（Ｓ３１）、広告サーバ２０のクリック情報検索処理部３４は、広告交換リンク２に付加されている広告主を識別する広告主ＩＤを検索し（Ｓ３２）、広告主ＩＤ別クリック情報４６にクリック情報を格納し（Ｓ３３）、広告交換リンク２にかかる広告ＷＥＢページ２を閲覧者端末８０に表示する。
【図面の簡単な説明】
【００７３】
【図１】第１実施例の広告システムの概要を示す説明図である。
【図２】第１実施例の広告リンクと広告交換リンクとの関連付けを示す説明図である。
【図３】第１実施例のＷＥＢページ上の広告リンクがクリックされたときのクリック情報に基づく処理手順を示すフロー図である。
【図４】第１実施例のＷＥＢページの表示要求がされたときのクリック情報に基づく処理手順を示すフロー図である。
【図５】第１実施例の広告交換リンクがクリックされたときのクリック情報に基づく処理手順を示すフロー図である。
【図６】第２実施例の広告システムの概要の示す説明図である。
【図７】第２実施例の広告リンクと広告交換リンクとの関連付けを示す説明図である。
【図８】第２実施例のＷＥＢページ上の広告リンクがクリックされたときのクリック情報に基づく処理手順を示すフロー図である。
【図９】第２実施例のＷＥＢページの表示要求がされたときのクリック情報に基づく処理手順を示すフロー図である。
【図１０】第２実施例の広告交換リンクがクリックされたときのクリック情報に基づく処理手順を示すフロー図である。
【符号の説明】
【００７４】
１０  インターネット
２０  広告サーバ
３０  リンク交換制御手段
３１  リンク処理部部
３２  クリック回数判定部
３３  交換リンク配信処理部
３４  クリック情報検索処理部
３５  クリック回数設定部
３６  クリック回数判定部
３７  リンク交換部
４０  記憶手段
４１  広告掲載者ＩＤ別の広告交換リンクのクリック可能回数
４２  広告掲載者ＩＤ別の広告交換リンクのクリック実績回数
４３  広告主ＩＤに関連付けられたリンク先ＵＲＬ
４４  広告掲載者ＩＤに関連付けられたリンク先ＵＲＬ
４５  広告主ＩＤ
４６  広告主ＩＤ別クリック情報
４７  広告主指定のリンク先ＵＲＬ
５０  広告主サイト
５１、５２  広告ＷＥＢページ
６０  広告掲載者サイト
６１，６２  ＷＥＢページ
７０  交換リンク掲載者サイト
７１  ＷＥＢページ
８０  閲覧者端末
【図１】
2005242551.tif 000003
【図２】
2005242551.tif 000004
【図３】
2005242551.tif 000005
【図４】
2005242551.tif 000006
【図５】
2005242551.tif 000007
【図６】
2005242551.tif 000008
【図７】
2005242551.tif 000009
【図８】
2005242551.tif 000010
【図９】
2005242551.tif 000011
【図１０】
2005242551.tif 000012